(57)【要約】      （修正有）【課題】操作者が備品を取り出しやすい金銭管理装置を提供する。【解決手段】金銭管理装置は、硬貨を金種ごとに格納する硬貨管理装置１３と、硬貨管理装置１３の上方に配置され、紙幣を金種ごとに格納する紙幣管理装置１２と、紙幣管理装置１２の上方に配置され、預かり金額と売上金額とから釣銭を算出する本体装置１１と、硬貨管理装置１３及び紙幣管理装置１２に隣接して配置され、備品を収納する備品収納部１６と、を備える。また、客の購入物を載置するカウンタをさらに備え、客側から、カウンタと、縦に積載される硬貨管理装置１３、紙幣管理装置１２、及び本体装置１１と、備品収納部１６と、が順に配置される。【選択図】図１
2014052709.tif 000002
【特許請求の範囲】
【請求項１】
硬貨を金種ごとに格納する硬貨管理装置と、
前記硬貨管理装置の上方に配置され、紙幣を金種ごとに格納する紙幣管理装置と、
前記紙幣管理装置の上方に配置され、預かり金額と売上金額とから釣銭を算出する本体装置と、
前記硬貨管理装置及び前記紙幣管理装置に隣接して配置され、備品を収納する備品収納部と、
を備える金銭管理装置。
【請求項２】
客の購入物を載置するカウンタをさらに備え、
客側から、前記カウンタと、縦に積載される前記硬貨管理装置、前記紙幣管理装置、及び前記本体装置と、前記備品収納部と、が順に配置される請求項１記載の金銭管理装置。
【請求項３】
前記硬貨管理装置は、
硬貨を投入する硬貨投入孔と、
硬貨を排出する硬貨排出孔と、を備え、
前記紙幣管理装置は、
硬貨と紙幣とを受け入れる投入孔、前記投入孔と前記硬貨投入孔とを連結する連結孔、及び紙幣を排出する紙幣排出孔とを備える請求項２記載の金銭管理装置。
【請求項４】
前記投入孔は、
上方に向けて開口する請求項３記載の金銭管理装置。
【請求項５】
前記備品収納部は、
前記紙幣管理装置の上端面より下方であって、前記硬貨管理装置の下端面より上方に、備品を掛ける備品掛け部を備える請求項４記載の金銭管理装置。
【発明の詳細な説明】
【技術分野】
【０００１】
本発明の実施形態は、金銭管理装置に関する。
【背景技術】
【０００２】
ＰＯＳ（Ｐｏｉｎｔ  Ｏｆ  Ｓａｌｅｓ）端末などの金銭管理装置は、店舗などにおいて商品代金の清算に用いられる。
【０００３】
通常は、オペレータが金銭管理装置を操作するが、商品の購入者が自ら清算に使用する場合もある。いずれの場合も、清算が終了した商品は最終的に袋に入れられる。
【０００４】
従来の金銭管理装置は、袋などの備品が金銭管理装置の下方に配置される備品収納部に収納されていた。
【０００５】
従って、金銭管理装置の操作者は腰をかがめて袋などの備品を取出さざるを得ず、操作性が悪かった。
【先行技術文献】
【特許文献】
【０００６】
【特許文献１】特開２００９−１８７２７４号公報
【発明の概要】
【発明が解決しようとする課題】
【０００７】
従って、操作者が備品を取り出しやすい金銭管理装置が求められている。
【課題を解決するための手段】
【０００８】
上記の課題を解決するために、本発明の一実施形態は、硬貨を金種ごとに格納する硬貨管理装置と、硬貨管理装置の上方に配置され、紙幣を金種ごとに格納する紙幣管理装置と、紙幣管理装置の上方に配置され、預かり金額と売上金額とから釣銭を算出する本体装置と、硬貨管理装置及び紙幣管理装置に隣接して配置され、備品を収納する備品収納部と、を備える金銭管理装置を提供する。
【図面の簡単な説明】
【０００９】
【図１】金銭管理装置の外観斜視図である。
【図２】紙幣管理装置及び硬貨管理装置を示す斜視図である。
【発明を実施するための形態】
【００１０】
以下、金銭管理装置の一実施形態について、図面を用いて詳細に説明する。
【００１１】
本実施形態の金銭管理装置は、硬貨を金種ごとに格納する硬貨管理装置と、硬貨管理装置の上方に配置され、紙幣を金種ごとに格納する紙幣管理装置と、紙幣管理装置の上方に配置され、預かり金額と売上金額とから釣銭を算出する本体装置と、硬貨管理装置及び紙幣管理装置に隣接して配置され、備品を収納する備品収納部と、を備える。
【００１２】
図１は、本実施形態の金銭管理装置１の外観斜視図である。図１に示すように、ＰＯＳ（Ｐｏｉｎｔ  Ｏｆ  Ｓａｌｅｓ）端末などの金銭管理装置１は、硬貨を格納し、硬貨の金種ごとの数量を計数管理する硬貨管理装置１３と、硬貨管理装置１３の上方に配置され、紙幣を格納し、紙幣の金種ごとの数量を計数管理する紙幣管理装置１２と、紙幣管理装置１２の上方に配置され、硬貨管理装置１３及び紙幣管理装置１２の出力から格納されている現金の合計金額を算出する本体装置１１と、硬貨管理装置１３及び紙幣管理装置１２に隣接して配置される備品収納部１６と、を備える。
【００１３】
本体装置１１は、金銭管理装置１がＰＯＳ端末の場合は、売上金額と預かり金額とから釣銭を計算する。
【００１４】
また、本体装置１１は、金種ごとの数量を格納する金種テーブルを備える。
【００１５】
紙幣管理装置１２は本体装置１１に接続される。紙幣管理装置１２は、投入孔２１と紙幣排出孔２４とを備え、投入孔２１から投入された紙幣を金種ごとに格納し、投入された紙幣の金種ごとの数量を本体装置１１に送信する。
【００１６】
硬貨管理装置１３は紙幣管理装置１２に接続される。硬貨管理装置１３は、硬貨投入孔２６と硬貨排出孔２７とを備え、硬貨投入孔２６から投入された硬貨を金種ごとに格納し、投入された硬貨の金種ごとの数量を、紙幣管理装置１２を経由して本体装置１１に送信する。
【００１７】
従って、本体装置１１は紙幣管理装置１２及び硬貨管理装置１３の出力から預かり金額の合計を算出することが可能となる。
【００１８】
本体装置１１は、預かり金額から売上金額を差し引き、釣銭を算出する。本体装置１１は、さらに釣銭として支払う金種ごとの枚数を計算し、硬貨管理装置１３及び紙幣管理装置１２に出金指示する。この出金指示の送信の際、本体装置１１は出金する金種ごとの数量を金種テーブルの各数量から差し引く。
【００１９】
金銭管理装置１は、金銭受け皿１４を本体装置１１の客側に備える。
【００２０】
客側から順に、客の購入物を載置するカウンタ１５と、下方から硬貨管理装置１３、紙幣管理装置１２、本体装置１１の順に配置された金銭管理装置１と、備品収納部１６と、が配置される。
【００２１】
備品収納部１６は、紙幣管理装置１２の上端面より下方であって、硬貨管理装置１３の下端面より上方に備品掛け部１７を備える。
【００２２】
図２は、本実施形態の紙幣管理装置１２及び硬貨管理装置１３を示す斜視図である。図２に示すように、紙幣管理装置１２は、上方に向けて開口し、紙幣及び硬貨を投入する投入孔２１と、上方に向けて開口し、紙幣を排出する紙幣排出孔２４と、投入孔２１から投入された紙幣を保持し、少なくとも中央部に硬貨を落下させる欠損部を有する紙幣受部２２と、投入された紙幣を格納する格納部に搬送する搬送部２３と、投入孔２１と連結され、投入された硬貨を硬貨管理装置１３の硬貨投入孔２６に導く連結孔２５と、を備える。
【００２３】
紙幣と硬貨とはいずれも投入孔２１から投入される。投入された紙幣は、紙幣受部２２によって受け止められ、搬送部２３によって一枚ずつ格納部に搬送される。
【００２４】
投入された硬貨は、矢印Ｘ１に示す方向に落下し、矢印Ｘ２に示す方向に連結孔２５を介して硬貨管理装置１３の硬貨投入孔２６に導かれる。
【００２５】
以上述べたように、本実施形態の金銭管理装置１は、硬貨投入孔２６と硬貨排出孔２７とを備え、硬貨投入孔２６から投入された硬貨を金種ごとに格納し、投入された硬貨の金種ごとの数量を、紙幣管理装置１２を経由して本体装置１１に送信する硬貨管理装置１３と、硬貨管理装置１３の上方に配置され、硬貨と紙幣とを受け入れる投入孔２１、投入孔２１と硬貨投入孔２６とを連結する連結孔２５、及び紙幣を排出する紙幣排出孔２４とを備え、投入孔２１から投入された紙幣を金種ごとに格納し、投入された紙幣の金種ごとの数量を本体装置１１に送信する紙幣管理装置１２と、紙幣管理装置１２の上方に配置され、硬貨管理装置１３及び紙幣管理装置１２の出力から格納されている現金の合計金額を算出する本体装置１１と、硬貨管理装置１３及び紙幣管理装置１２に隣接して配置される備品収納部１６と、を備える。
【００２６】
従って、操作者の備品取り出しの作業効率が良くなるという効果がある。
【００２７】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００２８】
１１：本体装置
１２：紙幣管理装置
１３：硬貨管理装置
１６：備品収納部
【図１】
2014052709.tif 000003
【図２】
2014052709.tif 000004